(57)【要約】【課題】  取り替え作業に伴う眼鏡使用者の負担が少なく使用者自らが手軽に且つ安全にテンプルを取り替え可能であると共にテンプルの先端部が耳の裏側に適切に係合する状態で取り付けることができ且つその状態を保持することが可能な眼鏡フレームを提供する。【解決手段】  眼鏡フレーム１０は、基端部２ａの少なくとも一部に雄ネジ２ｍが形成されたテンプル２と、テンプルと前枠１との間に介設された丁番を構成するコマ部材３と、テンプルの基端部とコマ部材の先端部３ｂとを外嵌し、テンプル側の内面に雄ネジ２ｍと着脱自在に螺合する雌ネジ４ｍが形成された筒状の取付部材４とを備えている。雄ネジと雌ネジとが螺合した状態で、コマ部材の先端部とテンプルの基端部と相対的な回転が阻止されるように、当接面２Ｓ、３Ｓが雄ネジの軸方向に垂直な面に対して斜め方向に形成されている。【選択図】  図２
2006113083.tif 000002
【特許請求の範囲】
【請求項１】
基端部の少なくとも一部に雄ネジが形成されたテンプルと、
前記テンプルと前枠との間に介設された丁番を構成するコマ部材と、
前記テンプルの基端部と前記コマ部材の先端部とを外嵌し、前記テンプル側の内面に前記雄ネジと着脱自在に螺合する雌ネジが形成された筒状の取付部材とを備え、
前記雄ネジと前記雌ネジとが螺合した状態で、前記コマ部材の先端部と前記テンプルの基端部との相対的な回転が阻止されるように、前記コマ部材の先端部と前記テンプルの基端部とが当接することを特徴とする眼鏡フレーム。
【発明の詳細な説明】
【技術分野】
【０００１】
本発明は、眼鏡フレームに関し、特に、取り替え作業に伴う眼鏡使用者の負担が少なく、使用者自らが手軽に且つ安全にテンプルを取り替え可能であると共に、テンプルの先端部が耳の裏側に適切に係合する状態で取り付けることができ、且つ、その状態を保持することが可能な眼鏡フレームに関する。
【背景技術】
【０００２】
眼鏡フレームは、前枠、テンプル、丁番等の部材が連結されて構成されている。この眼鏡フレームを構成する部材の中でも、前枠の両端に開閉自在に設けられ、ユーザの開閉動作等により頻繁に外力を受ける一対のテンプルは、特に軽量化とデザイン性を優先させた近年の極細タイプのテンプルの場合、使用に伴って劣化し易いため、比較的取り替える必要性の高い部材である。また、近年の眼鏡フレームに対するファッション性、デザイン性等の装飾機能重視の傾向に鑑みれば、予め用意された各種の装飾されたテンプルの中からＴＰＯ（時（Time）、所（Place）、場合（Occasion））に併せて選択された好みのテンプルに取り替えることも考えられる。
【０００３】
しかしながら、丁番を構成するネジによりテンプルを開閉するような従来の一般的な眼鏡フレームにおいてテンプルを取り替えるには、丁番のネジを眼鏡フレーム用のドライバー等の工具を用いてテンプルが外れ得る位置まで緩め、テンプルを取り替えた後、再びネジを締め直すといった作業が必要であり、手間が掛かる上、ネジを締め直す際のネジの締め付け具合などによってはネジに緩みが生じることがあり、微妙な調整が必要となる。このため、眼鏡使用者自らがテンプルの取り替え作業をするのは困難である。
【０００４】
そこで、丁番のネジを緩めずにテンプルの取り替えが可能な構造として、例えば、テンプルの所要部位において、テンプルを延出方向周りに着脱自在に螺合する連結機構部を設けた構造が提案されている（特許文献１参照）。
【０００５】
より具体的に説明すれば、特許文献１には、第１実施形態として、内部に雌ネジが形成されテンプルの基端に固定されたソケットピースと、丁番（ヒンジ）の持出端に固定され雄ネジが形成されたスクリューピースとから構成された連結機構部を備え、前記ソケットピースの雌ネジと前記スクリューピースの雄ネジとを螺合させることによりテンプルの取り替えを可能とする取替構造が開示されている（特許文献１の明細書段落０００９〜００１１、図３）。
【０００６】
また、特許文献１には、第２実施形態として、ソケットピースとスクリューピースとを第１実施形態とは逆に固定した取替構造が開示されている（特許文献１の明細書段落００１５、図４）
【０００７】
さらに、特許文献１には、第３実施形態として、ソケットピースをテンプルと分離可能とした点が第１実施形態と異なる取替構造が開示されている（特許文献１の明細書段落００１６、図５）
【特許文献１】実用新案第３０４７７３１号公報
【発明の開示】
【発明が解決しようとする課題】
【０００８】
しかしながら、特許文献１に記載の取替構造には以下に示すような問題がある。
すなわち、第１実施形態（特許文献１の図３）の構造では、テンプルの基端に固定されたソケットピースを摘んで回転させることによりテンプルを取り付ける際、ソケットピースとテンプルとが一体となって回転することになる。従って、ソケットピース内部に形成された雌ネジとスクリューピースの雄ネジとの締め付け具合に応じて、下方に切曲したテンプル先端部の前記回転方向の位置が異なることになる結果、先端部が耳の裏側に適切に係合し得ない状態でテンプルが取り付けられてしまうおそれがある。
【０００９】
また、仮に先端部が耳の裏側に適切に係合し得る状態でテンプルを取り付けることができたとしても、眼鏡を繰り返し使用している内に、ソケットピースの雌ネジとスクリューピースの雄ネジとの螺合が緩むことによりテンプルが回転し、先端部が不適切な位置に動いてしまうおそれもある。
【００１０】
さらには、テンプルを着脱する際、ソケットピースを摘んで回転させることにより、テンプルの切曲した先端部もソケットピースと一体となって回転するため、当該切曲した先端部が障害物（例えば、着脱作業を行う眼鏡使用者の衣服等）に引っ掛からないように注意する必要があるというような問題もある。
【００１１】
以上に説明した問題は、第２実施形態（特許文献１の図４）や第３実施形態（特許文献１の図５）の構造についても同様に存在する。
【００１２】
本発明は、斯かる従来技術の問題点を解決するべくなされたものであり、取り替え作業に伴う眼鏡使用者の負担が少なく、使用者自らが手軽に且つ安全にテンプルを取り替え可能であると共に、テンプルの先端部が耳の裏側に適切に係合する状態で取り付けることができ、且つ、その状態を保持することが可能な眼鏡フレームを提供することを課題とする。
【課題を解決するための手段】
【００１３】
前記課題を解決するべく、本発明は、基端部の少なくとも一部に雄ネジが形成されたテンプルと、前記テンプルと前枠との間に介設された丁番を構成するコマ部材と、前記テンプルの基端部と前記コマ部材の先端部とを外嵌し、前記テンプル側の内面に前記雄ネジと着脱自在に螺合する雌ネジが形成された筒状の取付部材とを備え、前記雄ネジと前記雌ネジとが螺合した状態で、前記コマ部材の先端部と前記テンプルの基端部との相対的な回転が阻止されるように、前記コマ部材の先端部と前記テンプルの基端部とが当接することを特徴とする眼鏡フレームを提供するものである。
【００１４】
本発明に係る眼鏡フレームによれば、テンプルを把持しながら筒状の取付部材を摘んでその軸周りに取付部材を回転させることにより、テンプルの基端部に形成された雄ネジと取付部材の内面に形成された雌ネジとが螺合し、テンプルが取付部材に取り付けられることになる。そして、取付部材は、丁番を構成するコマ部材の先端部を外嵌することでコマ部材の先端部に取り付けられている。従って、テンプルはコマ部材の先端部に取り付けられることになり、丁番によって回動し、前枠の両端で開閉することが可能である。なお、テンプルを取り外す際には、テンプルを把持しながら筒状の取付部材を摘んで、取り付け時とは逆方向に取付部材を回転させればよい。
【００１５】
ここで、本発明に係る眼鏡フレームは、前記雄ネジと前記雌ネジとが螺合した状態で、コマ部材の先端部とテンプルの基端部との相対的な回転が阻止されるように、コマ部材の先端部とテンプルの基端部とが当接するように構成されている。斯かる構成により、前記雄ネジと前記雌ネジとを取り付けに際し過度に締め付けたとしても、コマ部材の先端部とテンプルの基端部とが当接することにより、コマ部材の先端部とテンプルの基端部との相対的な回転（雄ネジ（又は雌ネジ）の軸方向周りの回転）が阻止されることになる。従って、コマ部材の先端部とテンプルの基端部とが当接する状態において、下方に切曲したテンプル先端部が耳の裏側に適切に係合する位置となるように当接面を形成しておきさえすれば、雄ネジと雌ネジとの締め付け具合に応じてテンプル先端部の位置が変化してしまうこともなく、適切な位置にテンプルを取り付けることが可能である。
【００１６】
また、眼鏡フレームを繰り返し使用しても、コマ部材の先端部とテンプルの基端部との相対的な回転が阻止されるように構成されているため、前記雄ネジと前記雌ネジとの螺合が緩み難く、テンプル先端部を適切な位置に保持することが可能である。
【００１７】
さらには、テンプルを把持しながら筒状の取付部材を摘んでその軸周りに取付部材を回転させることによりテンプルを着脱すればよいため、テンプルの着脱の際に、その切曲した先端部が回転することは無く、障害物に引っ掛かるというような危険性に乏しい。
【００１８】
このように本発明に係る眼鏡フレームによれば、工具等を用いる必要がなく、テンプルを把持しながら筒状の取付部材を摘んでその軸周りに取付部材を回転させるだけでテンプルを脱着可能であるため、取り替え作業に伴う眼鏡使用者の負担が少なく、使用者自らが手軽に且つ安全にテンプルを取り替えることができる。また、コマ部材の先端部とテンプルの基端部とが、互いの相対的な回転が阻止されるように当接する構成とされているため、テンプルの先端部が耳の裏側に適切に係合する状態で取り付けることができ、且つ、その状態を保持することが可能である。
【００１９】
なお、本発明における「基端部」の語句は、眼鏡フレーム装着時において、各部材の前方側（眼の方向側）に位置する部分を意味し、「先端部」の語句は、各部材の後方側（耳の方向側）に位置する部分を意味する。
【００２０】
コマ部材の先端部とテンプルの基端部とが当接する状態において、コマ部材の先端部とテンプルの基端部との相対的な回転が阻止される構成としては、例えば、前記コマ部材の先端部と前記テンプルの基端部との当接面が、前記雄ネジの軸方向に垂直な面に対して斜め方向に形成される構成を採用することが可能である。
【００２１】
或いは、前記コマ部材の先端部と前記テンプルの基端部とが当接嵌合する構成を採用してもよい。
【００２２】
前記取付部材が前記コマ部材の先端部から抜け落ちることを確実に防止するべく、好ましくは、前記取付部材は、当該取付部材の基端部から径方向内方に向けて延出する係止部を具備し、前記コマ部材は、前記先端部に前記係止部と係合する係合部を具備するように構成される。
【００２３】
或いは、前記取付部材は、内面に前記テンプル側から前記コマ部材側に向けて縮径された内面縮径部を具備し、前記コマ部材は、前記先端部に前記内面縮径部に嵌合するように縮径された縮径部を具備するように構成することも可能である。
【００２４】
以上のいずれの構成によっても、テンプルを取り外した後に、取付部材がコマ部材の先端部からテンプル側に抜け落ちることを確実に防止可能である。
【００２５】
さらに好ましくは、前記取付部材は、前記コマ部材側の内面に環状の凹溝又は凸条を具備し、前記コマ部材は、前記先端部に前記凹溝又は凸条に嵌合する環状の凸条又は凹溝を具備するように構成される。
【００２６】
斯かる構成によれば、取付部材の凹溝（又は凸条）と、コマ部材の凸条（又は凹溝）とが嵌合するため、テンプルを取り外した後、取付部材がコマ部材の先端部からテンプル側に抜け落ちることを防止できる他、取付部材がコマ部材の先端部から前枠側に向けて移動することも防止できるため、部材同士が擦れることによって擦れた箇所に損傷が生じるというような問題が生じ難いという利点も得られる。
【発明の効果】
【００２７】
本発明に係る眼鏡フレームによれば、取り替え作業に伴う眼鏡使用者の負担が少なく、使用者自らが手軽に且つ安全にテンプルを取り替え可能であると共に、テンプルの先端部が耳の裏側に適切に係合する状態で取り付けることができ、且つ、その状態を保持することが可能である。
【発明を実施するための最良の形態】
【００２８】
以下、添付図面を参照しつつ、本発明の一実施形態について説明する。
図１は、本発明の一実施形態に係る眼鏡フレーム１０の概略構成を示す斜視図である。図２は、図１に示す眼鏡フレーム１０を構成する左右一対のテンプル２の内、右側のテンプル２近傍を部分的に断面で示す（取付部材４を断面で示す）拡大平面図であり、図２（ａ）はテンプル２を取り付けた状態を、図２（ｂ）及び（ｃ）はテンプル２を取り外した状態を示す。図３は、図２（ｃ）のＡＡ矢視図である。
【００２９】
本実施形態に係る眼鏡フレーム１０は、図１に示すように、レンズを保持する前枠１と、前枠１の左右両端からそれぞれ後方に延出する左右一対のテンプル２と、テンプル２と前枠１との間に介設された丁番を構成するコマ部材３と、円筒状の取付部材４とを備えている。その他、眼鏡フレーム１０は、前枠１に取り付けられたヨロイ（智）５と、前枠１に取り付けられた鼻当て用のパッド６とを備えている。
【００３０】
テンプル２は、図２に示すように、その基端部（前方側に位置する部分）２ａの少なくとも一部（図２に示す例では、基端部２ａ全体）に雄ネジ２ｍが形成されている。
【００３１】
コマ部材３は、図２に示すように、その基端部３ａがビス７によってヨロイ５に回動自在に取り付けられている。すなわち、ヨロイ５、ビス７及びコマ部材３によって眼鏡フレームの丁番が構成されている。
【００３２】
取付部材４は、図２に示すように、テンプル２の基端部２ａとコマ部材３の先端部３ｂとを外嵌し、テンプル２側の内面に雄ネジ２ｍと着脱自在に螺合する雌ネジ４が形成されている。より具体的に説明すれば、本実施形態に係る取付部材４は、コマ部材３の先端部３ｂの外径と略同一の内径を有することにより、コマ部材３の先端部３ｂに密接嵌合している。ただし、コマ部材３の先端部３ｂに対して軸周りに回転可能な嵌合状態とされている。また、取付部材４は、後述するように摘んでその軸周りに回転させ易いようにするべく、図３に示すように、その外面が断面視で多角形に形成されている。ただし、これに限るものではなく、断面視で円形に形成することができる他、滑り止めのための微細な凹凸を外面に形成することも可能である。
【００３３】
図２（ａ）に示すように、雄ネジ２ｍと雌ネジ４ｍとが螺合した状態において、コマ部材３の先端部３ｂとテンプル２の基端部２ａとは、互いの相対的な回転が阻止されるように当接する構成とされている。より具体的に説明すれば、本実施形態では、コマ部材３の先端部３ｂとテンプル２の基端部２ａとが当接し、その当接面２Ｓ、３Ｓが雄ネジ２ｍの軸方向に垂直な面に対して斜め方向に形成されている。
【００３４】
以上に説明した構成を有する眼鏡フレーム１０において、テンプル２を取り付ける際には、図２（ｂ）に示すように、テンプル２の基端部２ａを取付部材４の先端部に近づけ、テンプル２を把持しながら取付部材４を摘んでその軸周りに取付部材４を回転させればよい。或いは、図２（ｃ）に示すように、取付部材４を前枠側（図２の紙面左側）に移動させた後、テンプル２の基端部２ａをコマ部材３の先端部３ｂに当接させた状態でテンプル２を把持しながら取付部材４を摘んでその軸周りに取付部材４を回転させればよい。これにより、テンプル２の基端部２ａに形成された雄ネジ２ｍと取付部材４の内面に形成された雌ネジ４ｍとが螺合し、テンプル２が取付部材４に取り付けられることになる。そして、取付部材４は、前述のように、丁番を構成するコマ部材３の先端部３ｂを外嵌することでコマ部材３の先端部３ｂに取り付けられている。従って、テンプル２はコマ部材３の先端部３ｂに取り付けられることになり、丁番によってビス７周りに回動し、前枠１の両端で開閉することが可能である。逆にテンプル２を取り外す際には、テンプル２を把持しながら取付部材４を摘んで、取り付け時とは逆方向に取付部材４を回転させればよい。
【００３５】
ここで、前述したように、本実施形態に係る眼鏡フレーム１０は、雄ネジ２ｍと雌ネジ４ｍとが螺合した状態（図２（ａ））で、コマ部材３の先端部３ｂとテンプル２の基端部２ａとが当接し、その当接面２Ｓ、３Ｓが雄ネジ２ｍの軸方向に垂直な面に対して斜め方向に形成されている。斯かる構成により、雄ネジ２ｍと雌ネジ４ｍとを取り付けに際し過度に締め付けたとしても、当接面２Ｓ、３Ｓが斜め方向に形成されていることに起因して、コマ部材３の先端部３ｂとテンプル２の基端部２ａとの相対的な回転が阻止されることになる。従って、コマ部材３の先端部３ｂとテンプル２の基端部２ａとが当接する状態において、下方に切曲したテンプル先端部２ｂ（図１参照）が眼鏡フレーム１０使用者の耳の裏側に適切に係合する位置となるように当接面２Ｓ、３Ｓを形成しておきさえすれば、雄ネジ２ｍと雌ネジ４ｍとの締め付け具合に応じてテンプル先端部２ｂの位置が変化してしまうこともなく、適切な位置にテンプル２を取り付けることが可能である。
【００３６】
また、眼鏡フレーム１０を繰り返し使用しても、当接面２Ｓ、３Ｓが斜め方向に形成され、コマ部材３の先端部３ｂとテンプル２の基端部２ａとの相対的な回転が阻止されるように構成されているため、雄ネジ２ｍと雌ネジ４ｍとの螺合が緩み難く、テンプル先端部２ａを適切な位置に保持することが可能である。
【００３７】
さらには、テンプル２を把持しながら取付部材４を摘んでその軸周りに取付部材４を回転させることによりテンプル２を着脱すればよいため、テンプル２の着脱の際に、その切曲した先端部２ａが回転することは無く、障害物に引っ掛かるというような危険性に乏しい。
【００３８】
このように、本実施形態に係る眼鏡フレーム１０によれば、取り替え作業に伴う眼鏡使用者の負担が少なく、使用者自らが手軽に且つ安全にテンプル２を取り替え可能であると共に、テンプル２の先端部２ａが耳の裏側に適切に係合する状態で取り付けることができ、且つ、その状態を保持することが可能である。
【００３９】
なお、テンプル２の基端部２ａ及びコマ部材３の先端部３ｂの当接部近傍は、図２に示す構成に限るものではなく、種々の好適な構成に変更可能である。図４〜図６は、テンプル２の基端部２ａ及びコマ部材３の先端部３ｂの当接部近傍の構成として他の構成を適用した場合における右側のテンプル２近傍を部分的に断面で示す（取付部材４を断面で示す）拡大平面図である。なお、図５の（ａ）は拡大平面図を、（ｂ）は（ａ）のＢＢ矢視図を示す。以下、図４〜図６を参照しつつ、各構成について順次説明する。
【００４０】
図４に示す構成は、図２に示す構成と同様に、テンプル２の基端部２ａの少なくとも一部に雄ネジ２ｍが形成されている。ただし、図４に示す構成は、当接面２Ｓ、３Ｓ近傍に雄ネジ２ｍが形成されていない点で図２に示す構成と異なる。
【００４１】
斯かる構成によっても、図２に示す構成と同様に、取り替え作業に伴う眼鏡使用者の負担が少なく、使用者自らが手軽に且つ安全にテンプル２を取り替え可能であると共に、テンプル２の先端部２ａが耳の裏側に適切に係合する状態で取り付けることができ、且つ、その状態を保持することが可能である。さらには、図２に示す構成と異なり、当接面２Ｓ、３Ｓ近傍に雄ネジ２ｍを形成する必要がないため、加工が容易であるという利点も有する。
【００４２】
図５（ａ）に示す構成は、コマ部材３の先端部３ｂとテンプル２の基端部２ａとが当接嵌合するものである。より具体的に説明すれば、図５（ｂ）に示すように、テンプル２の基端部２ａとコマ部材３の先端部３ｂとは、当接部においてそれぞれ左右何れか一方が欠けた断面視半円形に形成されており、これにより当接嵌合するように構成されている。斯かる構成により、コマ部材３の先端部３ｂとテンプル２の基端部２ａとは、互いの相対的な回転が阻止されるように当接することになる。なお、図５（ａ）には、テンプル２の基端部２ａとコマ部材３の先端部３ｂとが、当接部においてそれぞれ左右何れか一方が欠けた断面視半円形に形成されている形態を図示したが、これに限るものではなく、それぞれ上下何れか一方が欠けた断面視半円形に形成することができる他、テンプル２の基端部２ａとコマ部材３の先端部３ｂとが嵌合した状態で断面視円形となる限りにおいて、種々の形態を採用することが可能である。
【００４３】
斯かる構成によっても、図２に示す構成と同様に、取り替え作業に伴う眼鏡使用者の負担が少なく、使用者自らが手軽に且つ安全にテンプル２を取り替え可能であると共に、テンプル２の先端部２ａが耳の裏側に適切に係合する状態で取り付けることができ、且つ、その状態を保持することが可能である。さらには、図２に示す構成と異なり、当接部近傍に雄ネジ２ｍを形成する必要がないため、加工が容易であるという利点も有する。
【００４４】
図６に示す構成は、図５に示す構成と同様に、コマ部材３の先端部３ｂとテンプル２の基端部２ａとが当接嵌合するものである。ただし、図５に示す構成と異なり、当接部近傍も含めた基端部２ａ全体に雄ネジ２ｍが形成されている。
【００４５】
また、取付部材４及びコマ部材３も、図２に示す構成に限るものではなく、種々の好適な構成に変更可能である。図７〜図９は、それぞれ取付部材４及びコマ部材３として他の構成を適用した場合における右側のテンプル２近傍を部分的に断面で示す（取付部材４を断面で示す）拡大平面図である。以下、図７〜図９を参照しつつ、各構成について順次説明する。なお、以下の説明では、テンプル２の基端部２ａ及びコマ部材３の先端部３ｂの当接部近傍の構成として、コマ部材３の先端部３ｂとテンプル２の基端部２ａとの当接面２Ｓ、３Ｓが雄ネジ２ｍの軸方向に垂直な面に対して斜め方向に形成されている（図２参照）場合を例に挙げて説明するが、本発明はこれに限るものではなく、図４〜図６を参照して説明した構成に対して、図７〜図９を参照して説明する構成を適用することも可能である。
【００４６】
図７に示す構成は、取付部材４が基端部４ａから径方向内方に向けて延出する係止部４ｃを具備し、コマ部材３が先端部３ｂに係止部４ｃと係合する係合部３ｃを具備するものである。
【００４７】
斯かる構成によれば、テンプル２を取り外した後に、取付部材４がコマ部材３の先端部３ｂからテンプル２側（図７の紙面右側）に移動しようとしても、係止部４ｃと係合部３ｃとが係合することにより、それ以上テンプル２側に移動することができないため、取付部材４がコマ部材３の先端部３ｂから抜け落ちることを防止可能である。また、図２に示す構成に比べて、たとえ取付部材４とコマ部材３との嵌合状態を緩和したとしても（コマ部材先端部３ｂの外面と取付部材４の内面との間にある程度の隙間を設けたとしても）、係止部４ｃと係合部３ｃとが係合することによって、取付部材４の抜け落ちを防止可能である。従って、取付部材４とコマ部材３との嵌合状態を緩和することにより、取付部材４がコマ部材先端部３ｂに対して軸周りに回転し易くなるという利点も有する。なお、係止部４ｃは、必ずしも取付部材４の内面全周に亘って設ける必要はなく、取付部材４の周方向の一部に設ける構成を採用することも可能である。
【００４８】
図８に示す構成は、取付部材４が内面にテンプル２側からコマ部材３側に向けて縮径された内面縮径部４ｄを具備し、コマ部材３が先端部３ｂに内面縮径部４ｄに嵌合するように縮径された縮径部３ｄを具備するものである。
【００４９】
斯かる構成によっても、図７に示す構成と同様に、内面縮径部４ｄと縮径部３ｄとが嵌合することにより、取付部材４はそれ以上テンプル２側に移動することができないため、取付部材４がコマ部材３の先端部３ｂから抜け落ちることを防止可能である。また、取付部材４とコマ部材３との嵌合状態を緩和することが可能であり、これにより、取付部材４がコマ部材先端部３ｂに対して軸周りに回転し易くなるという利点も有する。
【００５０】
図９に示す構成は、取付部材４がコマ部材３側の内面に環状の凸条４ｅを具備し、コマ部材３が先端部３ｂに凸条４ｅに嵌合する環状の凹溝３ｅを具備するものである。
【００５１】
斯かる構成によっても、図７や図８に示す構成と同様に、凸条４ｅと凹溝３ｅとが嵌合することにより、取付部材４はそれ以上テンプル２側に移動することができないため、取付部材４がコマ部材３の先端部３ｂから抜け落ちることを防止可能であると共に、取付部材４とコマ部材３との嵌合状態を緩和することが可能であり、これにより、取付部材４がコマ部材先端部３ｂに対して軸周りに回転し易くなるという利点も有する。さらに、図９に示す構成によれば、取付部材４がコマ部材３の先端部３ｂから前枠側（図９の紙面左側）に向けて移動することも防止できるため、部材同士が擦れる（取付部材４と、コマ部材３の基端部３ａ、ビス７、ヨロイ５が擦れる）ことによって擦れた箇所に損傷が生じるというような問題が生じ難いという利点も得られる。ただし、図９に示す構成を採用する場合には、テンプル２を取り付ける際に取付部材４を前枠側（図９の紙面左側）に移動させることはできないため、テンプル２の基端部２ａを取付部材４の先端部に近づけ、テンプル２を把持しながら取付部材４を摘んでその軸周りに取付部材４を回転させる方法で取り付ける必要がある。
【００５２】
なお、図９に示す構成は、取付部材４がコマ部材３側の内面に環状の凸条４ｅを具備し、コマ部材３が先端部３ｂに凸条４ｅに嵌合する環状の凹溝３ｅを具備する構成であるが、凸条及び凹溝を逆にする構成とすることも可能である。つまり、取付部材４がコマ部材３側の内面に環状の凹溝を具備し、コマ部材３が先端部３ｂに前記凹溝に嵌合する環状の凸条を具備する構成としても同様の作用効果を奏することができる。
【００５３】
以上に説明したように、本実施形態に係る眼鏡フレーム１０によれば、工具等を用いる必要がなく、テンプル２を把持しながら取付部材４を摘んでその軸周りに取付部材４を回転させるだけでテンプル２を脱着可能であるため、取り替え作業に伴う眼鏡使用者の負担が少なく、使用者自らが手軽に且つ安全にテンプル２を取り替えることができる。また、コマ部材３の先端部３ｂとテンプル２の基端部２ａとの相対的な回転が阻止されるように、コマ部材３の先端部３ｂとテンプル２の基端部２ａとが当接するように構成されているため、テンプル２の先端部２ａが耳の裏側に適切に係合する状態で取り付けることができ、且つ、その状態を保持することが可能である。
【００５４】
本実施形態に係る眼鏡フレーム１０によれば、使用者が手軽にテンプルを取り替えることができ、例えば、図１０（ａ）に示すように、テンプルの厚みを大きくして使用者の開閉動作等による外力に対して耐久性を向上させたテンプル２ｘに取り替えたり、図１０（ｂ）に示すように、予め用意された各種の装飾されたテンプルの中からＴＰＯに併せて選択された好みのテンプル２ｙに取り替えることも可能である。
【００５５】
また、スポーツ等の激しい運動を行う際に適用できるテンプル、例えば、図１１及び図１２に示すようなテンプル２ｚ，２ｚ’にも容易に取り替えることができる。
【００５６】
図１１に示すテンプル２ｚは、耳の裏側に当接可能な耳当接部２３ａ及びテンプル本体の先端部と耳当接部２３ａとを揺動可能に取り付けるためのピン又はネジ等の軸部材８が取り付けられた揺動部２３ｂを有する耳当て部材２３と、テンプル本体の耳当て部材２３が取り付けられた部位２２ａより前方にある所定部２２ｂと耳当接部２３ａの前端部２３ｃとを連結する可撓性の絡み防止部材９とを具備している。
【００５７】
このテンプル２ｚが取り付けられた眼鏡フレームでは、前枠１に取り付けられた鼻当て用のパッド６（図１参照）を鼻に掛けるとともに、湾曲した耳当て部材２３の耳当接部２３ａを耳の裏側（耳と頭との間）の湾曲部に掛けることによって着用される。
【００５８】
斯かる眼鏡フレームにおいては、眼鏡を掛けた状態で、前枠１がずれ落ちようとすると、前枠１から延出されたテンプル２ｚの先端部はずれ上がろうとし、テンプル本体の先端部に取り付けられた耳当て部材２３の耳当接部２３ａを上方へ移動させようとする。そして、耳当て部材２３の耳当接部２３ａが上方へ移動しようとすると、耳当て部材２３のテンプル本体に取り付けられる部位である揺動部２３ｂ（テンプル本体の耳当て部材２３が取り付けられる部位２２ａ）に挿通された軸部材７を中心として耳当接部２３ａは前回り方向（図１１において左回り）へ回転しようとする。このとき、耳当接部２３ａの前端部２３ｃが耳の裏側を押圧する力が大きくなり、その結果、耳当接部２３ａと耳の裏側との相対的な移動が阻止され、テンプル２ｚの先端部のずれ上がりが阻止される。このようにして、眼鏡のずれ落ちを防止することができる。
【００５９】
また、耳当接部２３ａの長手方向の略中間部に揺動部２３ｂが設けられるように構成されており、耳当て部材２３のテンプル本体に取り付けられる部位である揺動部２３ｂ及びテンプル本体の耳当て部材２３が取り付けられる部位２２ａには、揺動部２３ｂの揺動範囲を規制する規制機構Ｃ（図１１（ｂ）参照）が設けられるように構成されると共に、テンプル本体と耳当て部材２３の揺動部２３ｂとの取り付けには、ピン又はねじ等の軸部材８が用いられるように構成される。規制機構Ｃは、図１１（ｂ）に示すように、テンプル本体の耳当て部材が取り付けられる部位２２ａに設けられた当接面２８に耳当て部材２３の揺動部２３ｂの支持片３８が当接することにより揺動を規制する構成となっている。
【００６０】
斯かる規制機構Ｃを設けることにより、耳当て部材２３の揺動範囲が規制されるため、使用者が眼鏡を掛ける際に、耳の裏側の適所に耳当て部材２３の耳当接部２３ａを容易に当接させることができ、使用者の眼鏡の着用をより容易にすることができる。また、軸部材８を介して耳当て部材２３がテンプル本体の取り付け部位２２ａに取り付けられる構成であるため、力の損失が少なく、スムーズな揺動を容易かつ安価に達成することができる。また、軸部材８の軸回りに規制機構Ｃを設けることにより、規制機構Ｃを容易に構成することができる。なお、耳当て部材２３に取り付けられた揺動部２３ｂが軸部材８に揺動可能に取り付けられているが、耳当て部材２３自体（耳当接部２３ａ）に孔を開けて軸部材８を介して耳当て部材２３がテンプル本体に対して揺動可能に取り付けてもよい。また、テンプル本体の耳当て部材２３が取り付けられた部位２２ａは、テンプル２ｚの先端部であるように構成される。この場合、眼鏡フレームのテンプル２ｚと耳当て部材２３とが一体ではない構造を有しているにも関わらず、一般的な形状の眼鏡フレームを用いてきた使用者であっても違和感なく着用することができる。
【００６１】
また、図１１に示すように、可撓性の絡み防止部材９がテンプル本体の耳当て部材２３が取り付けられた部位２２ａより前方にある所定部２２ｂと耳当て部材２３の耳当接部２３ａの前端部２３ｃとを連結するように取り付けられている。こうすることで、眼鏡を外す際に、テンプル２ｚを上方へ持ち上げた場合であっても、テンプル本体と耳当接部２３ａの前端部２３ｃとの間が絡み防止部材９で塞がれているため、髪の毛がｘ方向（図１１（ａ））からテンプル本体と耳当接部２３ａとの取り付け部分（揺動部２３ｂ）に入り込み難く、これに絡まることが抑制される。また、絡み防止部材９は、可撓性を有しているため、眼鏡フレームのずれ落ち抑制の機能を阻害することもない。このように、可撓性の絡み防止部材９によってテンプル本体の耳当て部材２３が取り付けられた部位２２ａより前方にある所定部２２ｂと耳当接部２３ａの前端部２３ｃとを連結することにより、鼻に掛かる負担を大きくすることなく眼鏡のずれ落ちを防止できるとともに、眼鏡を外す際に髪の毛の眼鏡への絡みを抑制することができる。
【００６２】
図１２に示すテンプル２ｚ’は、眼鏡取り付け具３０を具備しているものである。この眼鏡取り付け具３０は、眼鏡フレームに着脱可能な眼鏡取り付け具であって、図１に示すようなテンプル本体２の先端部２ｂに着脱可能なクリップ部３０ｄと、耳の裏側に当接可能な耳当接部３０ａと、クリップ部３０ｄと耳当接部３０ａとを揺動可能に取り付けるためのピン又はねじ等の軸部材７が取り付けられた揺動部３０ｂとを具備するものである。また、クリップ部３０ｄと耳当接部３０ａとは、揺動部３０ｂにより、ピン又はねじ等の軸部材８を用いて揺動可能に取り付けられる。これにより、テンプル本体２と眼鏡取り付け具３０の耳当接部３０ａとは、揺動可能に取り付けられる。また、テンプル本体２が後方の部位になるほど分厚くなるような形状の場合は、クリップ部３０ｄの内径に所定の余裕を持たせてもクリップ部３０ｄがテンプル本体２の先端から抜け落ちることを防止することが可能である。
【００６３】
また、図１２に示すように、一端が耳当接部３０ａの前端部３０ｃに連結され、他端がテンプル本体２のクリップ部３０ｄが取り付けられた部位２ｂより前方にある所定部２０に着脱可能な可撓性の絡み防止部材９をさらに具備するように構成されている。この可撓性の絡み防止部材９によってテンプル本体２のクリップ部３０ｄが取り付けられた部位２ｂより前方にある所定部２０と眼鏡取り付け具３０の耳当接部３０ａの前端部３０ｃとを連結することにより、鼻に掛かる負担を大きくすることなく眼鏡のずれ落ちを防止できると共に、眼鏡を外す際に髪の毛の眼鏡への絡みを抑制することができる。さらに、絡み防止部材９の他端をテンプル本体２に着脱可能に取り付けるための構成として、図１２（ａ）に示すような可撓性部材で形成されたクリップ部９ａを用いている。
【図面の簡単な説明】
【００６４】
【図１】図１は、本発明の一実施形態に係る眼鏡フレームの概略構成を示す斜視図である。
【図２】図２は、図１に示す眼鏡フレームを構成する左右一対のテンプルの内、右側のテンプル近傍を部分的に断面で示す拡大平面図であり、図２（ａ）はテンプルを取り付けた状態を、図２（ｂ）及び（ｃ）はテンプルを取り外した状態を示す。
【図３】図３は、図２（ｃ）のＡＡ矢視図である。
【図４】図４は、図２に示す構成とは異なるテンプルの基端部及びコマ部材の先端部の当接部近傍の構成を適用した場合における右側のテンプル近傍を部分的に断面で示す拡大平面図である。
【図５】図５は、図２に示す構成とは異なるテンプルの基端部及びコマ部材の先端部の当接部近傍の構成を適用した場合における右側のテンプル近傍を部分的に断面で示す拡大平面図であり、図５（ａ）は拡大平面図を、図５（ｂ）は図５（ａ）のＢＢ矢視図を示す。
【図６】図６は、図２に示す構成とは異なるテンプルの基端部及びコマ部材の先端部の当接部近傍の構成を適用した場合における右側のテンプル近傍を部分的に断面で示す拡大平面図である。
【図７】図７は、図２に示す構成とは異なる構成の取付部材及びコマ部材を適用した場合における右側のテンプル近傍を部分的に断面で示す拡大平面図である。
【図８】図８は、図２に示す構成とは異なる構成の取付部材及びコマ部材を適用した場合における右側のテンプル近傍を部分的に断面で示す拡大平面図である。
【図９】図９は、図２に示す構成とは異なる構成の取付部材及びコマ部材を適用した場合における右側のテンプル近傍を部分的に断面で示す拡大平面図である。
【図１０】図１０は、本発明に係る眼鏡フレームに適用できるテンプルの一例を概略的に示す側面図であり、図１０（ａ）はテンプルの厚みを大きくして使用者の開閉動作等による外力に対して耐久性を向上させたテンプルの例を、図１０（ｂ）は予め用意された各種の装飾されたテンプルの中からＴＰＯに併せて選択されたテンプルの例を示す。
【図１１】図１１は、本発明に係る眼鏡フレームに適用できるテンプルの他の例を概略的に示す側面図であり、図１１（ａ）は耳当て部材を備えたテンプルの例を、図１１（ｂ）は図１１（ａ）に示すテンプル本体と耳当て部材との取り付け箇所近傍を拡大して示すものである。
【図１２】図１２は、図１１に示すテンプルの変形例を概略的に示す側面図であり、図１２（ａ）は眼鏡取り付け具を、図１２（ｂ）は眼鏡取り付け具を装着したテンプルを示す。
【符号の説明】
【００６５】
１・・・前枠
２・・・テンプル
２ａ・・・テンプルの基端部
２ｍ・・・雄ネジ
２Ｓ・・・当接面
３・・・コマ部材
３ｂ・・・コマ部材の先端部
３Ｓ・・・当接面
４・・・取付部材
４ｍ・・・雌ネジ
【図１】
2006113083.tif 000003
【図２】
2006113083.tif 000004
【図３】
2006113083.tif 000005
【図４】
2006113083.tif 000006
【図５】
2006113083.tif 000007
【図６】
2006113083.tif 000008
【図７】
2006113083.tif 000009
【図８】
2006113083.tif 000010
【図９】
2006113083.tif 000011
【図１０】
2006113083.tif 000012
【図１１】
2006113083.tif 000013
【図１２】
2006113083.tif 000014